(57)【要約】【課題】共同受信施設用ステータスモニタにおいて、異常が生じている機器の原因究明を速やかに行えるようにする。【解決手段】共同受信施設を構成する複数の機器１１の接続状態を表す接続情報を基に、各機器１１の接続状態を各機器を表す機器シンボル１４とこれらの間を繋ぐ線路シンボル１６とによって表した系統表示画面を、表示部１０に表示させる。系統表示画面において、各機器シンボル１４のうちいずれかが、操作部８によって指定されたとき、該当する機器の動作状態を表す機器情報が表示された機器情報表示画面が、表示部１０に表示される。機器情報表示画面には、前段機器表示用ボタン２０と後段機器表示用ボタン２２とが表示されている。機器情報表示画面において、前段機器表示用ボタン２０または後段機器表示用ボタン２２が操作部８によって指定されたとき、この指定されたボタンに対応する機器を接続情報から検索し、検索された機器の機器情報を表示部１０に表示させる。【選択図】        図１
2004312113.tif 000002
【特許請求の範囲】
【請求項１】
共同受信施設を構成する複数の機器の接続状態を表す接続情報を基に、前記各機器の接続状態を前記各機器を表す機器シンボルとこれら機器シンボル間を繋ぐ線路シンボルとによって表した系統表示画面を、コンピュータが備える表示手段に表示させる系統表示制御手段、
前記系統表示画面において、前記各機器シンボルのうちいずれかが、前記コンピュータが備える指定手段によって指定されたとき、指定された機器シンボルに対応する前記機器の動作状態を表す機器情報が表示された機器情報表示画面を、前記表示手段に表示させ、かつ前記機器情報表示画面に、前段機器指定用表示子と後段機器指定用表示子とを表示させる機器情報表示制御手段、
前記機器情報表示画面において、前記前段機器指定用表示子または前記後段機器指定用表示子が前記指定手段によって指定されたとき、この指定された表示子に対応する前段または後段の前記機器の機器情報を前記表示手段に表示させる前後段機器情報表示制御手段、
として、前記コンピュータを機能させるためのステータスモニタ用プログラム。
【請求項２】
請求項１記載のステータスモニタ用プログラムにおいて、前記機器情報表示画面には、後段機器選択用表示子も表示され、前記後段機器選択用表示子に対する前記指定手段による指定操作によって指定された後段機器の機器情報を前記前後段機器情報表示制御手段が表示するステータスモニタ用プログラム。
【請求項３】
請求項１記載のステータスモニタ用プログラムにおいて、前記機器ごとに前記各機器情報を基準値と比較して、異常があるか否かを判定する判定手段としても、前記コンピュータを機能させ、前記系統表示制御手段は、前記系統表示画面において、異常があると判定された機器に対応する機器シンボルの表示を他の機器シンボルと異ならせるステータスモニタ用プログラム。
【請求項４】
共同受信施設を構成する複数の機器の接続状態を表す接続情報を基に、前記各機器の接続状態を前記各機器を表す機器シンボルとこれら機器シンボル間を繋ぐ線路シンボルとによって表した系統表示画面を、コンピュータが備える表示手段に表示させる系統表示制御手段、
前記系統表示画面において、前記各機器シンボルのうちいずれかが、前記コンピュータが備える指定手段によって指定されたとき、指定された機器シンボルに対応する指定機器が属する接続系列中の少なくとも１台の機器の動作状態を表す機器情報と、前記指定機器の前記機器情報とが、表示された機器情報表示画面を、前記表示手段に表示させる機器情報表示制御手段、
として、前記コンピュータを機能させるためのステータスモニタ用プログラム。
【請求項５】
共同受信施設を構成する複数の機器の接続状態を表す接続情報を基に、前記各機器の接続状態を前記各機器を表す機器シンボルとこれら機器シンボル間を繋ぐ線路シンボルとによって表した系統表示画面を、コンピュータが備える表示手段に表示させる系統表示制御手段、
前記系統表示画面において、前記各機器シンボルのうちいずれかが、前記コンピュータが備える指定手段によって指定されたとき、指定された機器シンボルに対応する指定機器が属する接続系列中の少なくとも１台の機器の動作状態を表す機器情報と、前記指定機器の機器情報との比較結果が表示された機器情報表示画面を、前記表示手段に表示させる機器情報表示制御手段
として、前記コンピュータを機能させるためのステータスモニタ用プログラム。
【請求項６】
共同受信施設を構成する複数の機器の接続状態を表す接続情報を基に、前記各機器の接続状態を前記各機器を表す機器シンボルとこれら機器シンボル間を繋ぐ線路シンボルとによって表した系統表示画面を、コンピュータが備える表示手段に表示させる系統表示制御手段、
前記系統表示画面において、前記各機器シンボルのうちいずれかが、前記コンピュータが備える指定手段によって指定されたとき、指定された機器シンボルに対応する指定機器が属する接続系列中の少なくとも１台の機器の動作状態を表す機器情報と、この機器情報に対して設定された許容値との比較結果が表示された機器情報表示画面を、前記表示手段に表示させる機器情報表示制御手段、
として、前記コンピュータを機能させるためのステータスモニタ用プログラム。
【請求項７】
請求項４、５または６記載のステータスモニタ用プログラムにおいて、前記少なくとも１台の機器は、前記指定機器の前段または後段の機器であるステータスモニタ用プログラム。
【請求項８】
請求項４、５または６記載のステータスモニタ用プログラムにおいて、前記少なくとも１台の機器は、前記指定機器が属する接続系列の初段の機器であるステータスモニタ用プログラム。
【請求項９】
請求項４、５または６記載のステータスモニタ用プログラムにおいて、前記少なくとも１台の機器は、前記指定機器が属する接続系列の初段から前記指定機器までの各機器であるステータスモニタ用プログラム。
【発明の詳細な説明】
【０００１】
【発明の属する技術分野】
本発明は、共同受信施設を構成している各機器の動作状態を監視するステータスモニタシステムのセンタ装置として使用するコンピュータで動作するステータスモニタ用プログラムに関する。
【０００２】
【従来の技術】
ステータスモニタシステムは、共同受信施設を構成している機器、例えば増幅器等にステータスユニットを設けて、これら増幅器の動作状態、例えばＡＣ入力電圧、ＤＣ出力電圧、内部温度、下りパイロット信号出力レベル等を検出し、これら検出結果、即ち機器情報を、共同受信施設のヘッドエンド側に設けたセンタ装置、例えばパーソナルコンピュータに伝送し、パーソナルコンピュータ側の表示装置において、その検出結果を表示するものである。このような表示の例が、非特許文献１に示されている。
【０００３】
【非特許文献１】
株式会社ブロードネットマックス社製ステータスモニタシステムのカタログ〔平成１５年１月１７日検索〕、インターネット＜ＵＲＬ：ｈｔｔｐ／／ｗｗｗ．ｎｂｍｕｘ．ｃｏ．ｊｐ／ｃａｔａｌｏｇ／ｉｎｄｅｘ．ｈｔｍｌ＞
【０００４】
非特許文献１に示されている表示の例では、１つのウインドウに系統図がツリー表示され、別のウインドウに異常が生じている各増幅器の名称と異常項目とが一覧表形式で表示され、この一覧表から選んだ異常が生じている増幅器或いはツリー表示から選んだ異常が生じている増幅器の詳細な機器情報が別のウインドウに表示されている。
【０００５】
【発明が解決しようとする課題】
しかし、この表示における上記一覧表からは、異常を生じている項目しか確認できないので、異常の原因が他の増幅器にある場合、解明することが困難である。また、ツリー表示からは、異常の内容が把握できないので、異常が生じている増幅器の詳細な機器情報を表示し、異常の原因を推量する。この異常の原因が、例えば他の増幅器にある場合、ツリー表示から他の増幅器を選んで、この他の増幅器の詳細機器情報を表示することを何度も行って、異常の原因を推察する必要がある。そのため、原因の究明に多くの時間がかかっていた。
【０００６】
本発明は、異常の原因の究明を速やかに行えるステータスモニタ用プログラムを提供することを目的とする。
【０００７】
【課題を解決するための手段】
本発明によるステータスモニタ用プログラムは、コンピュータを以下の各手段として機能させるためのものである。共同受信施設を構成する複数の機器の接続状態を表す接続情報がコンピュータの記憶手段に記憶されている。機器としては、例えば双方向幹線増幅器、双方向分岐増幅器、双方向分配増幅器等の共同受信施設において使用される各種双方向増幅器が考えられる。接続情報としては、機器情報を伝送させるために例えばステータスモニタセンタ装置である前記コンピュータから各機器を呼び出すための呼出情報を使用することができる。系統表示制御手段が、コンピュータの表示手段に系統表示画面を表示させる。系統表示画面は、各機器の接続状態を、各機器を表す機器シンボルと、これら機器シンボル間を繋ぐ線路シンボルとによって表したものである。機器情報表示制御手段が、系統表示画面において、各機器シンボルのうちいずれかが、コンピュータの指定手段によって指定されたとき、該当する機器の動作状態を表す機器情報が表示された機器情報表示画面を、表示手段に表示させる。機器情報は、各機器からそれぞれ伝送されたものであり、例えば前記コンピュータから各機器を呼び出すごとに伝送される。機器情報は、最低限度１つであるが、複数の機器情報が含まれることもある。表示される機器情報としては、コンピュータが予め各機器を読み出して取得して、コンピュータの記憶手段に記憶させておいたものを使用することもできるし、機器情報表示画面を表示する際に、コンピュータが前記各機器を呼び出して取得した最新の機器情報とすることもできる。さらに、機器情報表示制御手段は、機器情報表示画面に、前段機器指定用表示子と後段機器指定用表示子とを表示させる。機器情報表示画面において、前段機器指定用表示子または前記後段機器指定用表示子が指定手段によって指定されたとき、この指定された表示子に対応する機器の機器情報を、前後段機器情報表示制御手段が、表示手段に表示させる。この表示される機器情報も、コンピュータが予め各機器を読み出して取得して、コンピュータの記憶手段に記憶させておいたものを使用することもできるし、機器情報表示画面を表示する際に、コンピュータが前記各機器を読み出して取得した最新の機器情報とすることもできる。
【０００８】
このように構成されたプログラムでは、或る機器の機器情報を表示している状態において、前段機器指定用表示子を指定手段によって操作すると、或る機器の前段に接続されている機器の機器情報が自動的に表示される。同様に、後段機器指定用表示子を指定手段によって操作すると、或る機器の後段に接続されている機器の機器情報が自動的に表示される。このように或る機器の機器情報が表示されている状態から、前段、後段表示指定用表示子の操作という簡単な操作を行うだけで、或る機器の前段または後段の機器の機器情報が表示されるので、前段や後段の機器がどれであるかを一々確認して、その機器情報を表示させるよりも、円滑に機器情報を表示させることができ、例えば機器の異常原因の究明を速やかに行うことができる。
【０００９】
機器情報表示画面には、後段機器選択用表示子も表示することができる。この場合、後段機器選択用表示子に対する指定手段による指定操作によって指定された後段機器の機器情報を前後段機器情報表示制御手段が表示する。共同受信システムでは、或る機器の後段側の機器が複数存在することがある。この場合、いずれの機器の機器情報を表示するかを指定する必要がある。そのため、後段機器選択用表示子が機器情報表示画面に表示されている。無論、後段の機器が１つしか無い場合には、後段機器選択用表示子を表示する必要はない。
【００１０】
機器ごとに各機器情報を基準値と比較して、異常があるか否かを判定する判定手段としても、コンピュータを機能させることができる。この場合、系統表示制御手段は、系統表示画面において、異常があると判定された機器に対応する機器シンボルの表示を他の機器シンボルと異ならせる。複数の機器情報が１台の機器に対して存在する場合、各機器情報に対応した基準値がそれぞれ設定される。
【００１１】
このように構成すると、異常が生じている機器がどれであるか直ちに判明するので、この異常が生じている機器に対するシンボルマークを指定手段によって指定することによって、直ちに異常が生じている機器の機器情報を表示することができ、さらに、この異常が生じている機器の前段または後段の機器の機器情報を表示させることも容易に行える。
【００１２】
本発明の他の態様のステータスモニタ用プログラムも、コンピュータを以下の各手段として機能させるためのものである。共同受信施設を構成する複数の機器の接続状態を表す接続情報がコンピュータの記憶手段に記憶されている。機器としては、例えば双方向幹線増幅器、双方向分岐増幅器、双方向分配増幅器等の共同受信施設において使用される各種双方向増幅器が考えられる。接続情報としては、機器情報を伝送させるために例えばステータスモニタセンタ装置である前記コンピュータから各機器を呼び出すための呼出情報を使用することができる。系統表示制御手段は、共同受信施設を構成する複数の機器の接続状態を表す接続情報を基に、前記各機器の接続状態を前記各機器を表す機器シンボルとこれら機器シンボル間を繋ぐ線路シンボルとによって表した系統表示画面を、コンピュータが備える表示手段に表示させる。複数の機器の接続状態としては、１つの接続系列から構成されているものや、在る接続系列から他の接続系列に枝分かれしたようなもの等、種々のものがある。機器情報表示制御手段が、前記系統表示画面において、前記各機器シンボルのうちいずれかが、前記コンピュータが備える指定手段によって指定されたとき、指定された機器シンボルに対応する指定機器が属する接続系列中の少なくとも１台の機器の動作状態を表す機器情報と、前記指定機器の前記機器情報とが、表示された機器情報表示画面を、前記表示手段に表示させる。
【００１３】
このように構成すると、指定機器における機器情報と、同じ接続系列中の少なくとも１台の機器の機器情報とが、同時に１つの画面上に表示されるので、これら表示を比較することによって、少なくとも１台の機器に異常の原因があるのか指定機器に異常の原因があるのかを判断することができる。なお、少なくとも１台の機器は、指定機器が属する接続系列における指定機器の前段または後段の機器とすることもできるし、指定機器が属する接続系列における初段の機器とすることもできるし、或いは指定機器が属する接続系列における初段から指定機器までの各機器とすることもできる。
【００１４】
上記機器情報表示制御手段を、前記系統表示画面において、前記各機器シンボルのうちいずれかが、前記コンピュータが備える指定手段によって指定されたとき、指定された機器シンボルに対応する機器である指定機器が属する接続系列中の少なくとも１台の機器の動作状態を表す機器情報と、前記指定機器の機器情報との比較結果が表示された機器情報表示画面を、前記表示手段に表示させるものとすることもできる。
【００１５】
このように構成すると、指定機器における機器情報と、同じ接続系列中の少なくとも１台の機器の機器情報との比較結果が、表示されるので、この表示値を基に少なくとも１台の機器に異常の原因があるのか指定機器に異常の原因があるのかを判断することができる。なお、少なくとも１台の機器は、指定機器が属する接続系列における指定機器の前段または後段の機器とすることもできるし、指定機器が属する接続系列における初段の機器とすることもできるし、或いは指定機器が属する接続系列における初段から指定機器までの各機器とすることもできる。
【００１６】
機器情報表示制御手段を、前記系統表示画面において、前記各機器シンボルのうちいずれかが、前記コンピュータが備える指定手段によって指定されたとき、指定された機器シンボルに対応する機器である指定機器が属する接続系列中の少なくとも１台の機器の動作状態を表す機器情報と、この機器情報に対して設定された許容値との比較結果が表示された機器情報表示画面を、前記表示手段に表示させるものとすることもできる。
【００１７】
このように構成すると、指定機器が属する接続系列中の少なくとも１台の機器の機器情報と、この機器情報に対して設定された許容値との比較結果が表示されるので、この少なくとも１台の機器に異常があるのか判断することができる。なお、少なくとも１台の機器は、指定機器が属する接続系列における指定機器の前段または後段の機器とすることもできるし、指定機器が属する接続系列における初段の機器とすることもできるし、或いは指定機器が属する接続系列における初段から指定機器までの各機器とすることもできる。
【００１８】
【発明の実施の形態】
本発明の第１の実施形態のステータスモニタ用プログラムは、図３に示すようなコンピュータ、例えばパーソナルコンピュータ２において使用される。このパーソナルコンピュータは、ＣＰＵ４、記憶手段、例えばメモリ６やハードディスク（図示せず）、指定手段、例えば操作部８、具体的にはキーボードやマウスを備え、さらに表示手段、例えば表示部１０、具体的にはＣＲＴまたはＬＣＤも備えている汎用のものである。
【００１９】
このパーソナルコンピュータ２は、例えば共同受信施設のヘッドエンド側に配置されており、ステータスモニタシステムのセンタ装置として機能する。このパーソナルコンピュータ２は、図示しない通信装置を介して共同受信施設の各機器１１、例えば双方向幹線増幅器、双方向分岐増幅器、双方向分配増幅器等に設けられているステータスユニット１２と通信可能である。これらステータスユニット１２は、これらが設置されている機器の機器情報、例えばＡＣ入力電圧、ＤＣ入力電圧、機器の筐体内の温度、下りパイロット信号出力レベル等を測定し、パーソナルコンピュータ２から呼び出されるごとに、機器情報をパーソナルコンピュータ２に伝送する。なお、伝送された機器情報は、メモリ６またはハードディスクに記憶される。
【００２０】
パーソナルコンピュータ２からの呼出を行うために、各機器１１にはアドレスが付されており、メモリ６には、図４に示すように各機器の接続情報、例えば各機器のアドレスが記憶され、各機器のアドレスに関連づけて、これら機器の前段及び後段に接続されている機器のアドレスが、記憶されている。
【００２１】
この接続情報を利用して、表示部１０には、図１（ａ）に示すように、系統表示画面１３が表示されている。この系統表示画面１３は、センタ装置と各機器１１との接続状態を表したもので、各機器１１を表す機器シンボルマーク１４と、これら機器シンボルマーク１４間を接続する線路シンボル１６とによって、接続状態を表している。なお、符号１８は、センタ装置を表すセンタ装置シンボルマークを表している。
【００２２】
パーソナルコンピュータ２では、各機器１１のステータスユニット１２から送信されてくる各機器情報を、これら機器ごとに各機器情報に対応してそれぞれ設定した基準値と比較し、これら基準値によって規定される許容範囲外の値に機器情報がなっているとき、異常と判断し、その異常が生じている機器に対応する機器シンボルマーク１４の表示を、他の（正常な）機器の機器シンボルマーク１４と異なったものとする。例えば表示色を異なった色とする。共同受信施設の各機器１１は、ヘッドエンド側から各端末側に向かう下りの信号を、前段（ヘッドエンド側）の機器１１から受けて、これを処理して、後段の機器１１に送り、各端末側からヘッドエンドに向かう上りの信号を後段側の機器１１から受けて、これを処理して、前段の機器１１に送る。従って、或る機器１１の下り信号の処理回路において異常が発生すると、この機器１１とこの機器１１から後段側にある連続する複数の機器において異常があると、系統表示画面１３には表示される。同様に、或る機器１１の上り信号の処理回路において異常が発生すると、この機器１１とこの機器１１から前段側にある連続する複数の機器において異常があると、系統表示画面１３には、表示される。この異常があるとの表示では、いずれの機器におけるいずれの回路において異常が生じているか判断することはできない。
【００２３】
そこで、このように異常があることが示された各機器の機器シンボルマーク１４のうち任意の１つを、作業員が操作部８によって操作すると、例えばマウスによってダブルクリックすると、図１（ｂ）に示すように、その異常がある機器の機器情報が表示された機器情報表示画面１５が表示部１０に表示される。この機器情報表示画面１５には、異常がある機器の各機器のアドレス、機器に付された名称、各機器情報、例えば下りパイロット信号出力レベル、ＡＣ電源電圧、筐体内の温度等が表示される。ここで表示される各機器情報は、既にメモリ６またはハードディスクに記憶されるものを使用することもできるし、或いは異常がある機器及びその前後段の機器をパーソナルコンピュータが新たに呼び出して取得した最新の各機器情報とすることもできる。
【００２４】
この機器情報表示画面１５の下方には、前段機器指定用表示子、例えば前段機器指定用ボタン２０と、後段機器指定用表示子、例えば後段機器指定用ボタン２２とが、一列に表示されている。
【００２５】
前段機器指定用ボタン２０は、異常が生じている機器よりも１つ前段側（ヘッドエンド側）にある機器の機器情報を表示した機器情報表示画面１５を、表示部１０に表示するためのもので、操作部８のマウス等によって、前段機器指定用ボタン２０をクリックすると、前段の機器情報表示画面１５が表示される。この画面においても、前段機器指定用ボタン２０と後段機器指定用ボタン２２とが表示されている。この画面において、前段機器指定用ボタン２０をクリックすると、さらに１つ前段の機器の機器情報表示画面１５が表示される。
【００２６】
後段機器指定用ボタン２２は、異常が生じている機器よりも１つ後段側（端末側）の機器の機器情報を表示した機器情報表示画面１５を表示するためのものである。これをマウス等によってクリックすることによって、後段の機器の機器情報を表示した機器情報表示画面１５が表示される。
【００２７】
但し、図１（ａ）の系統表示画面１３から明らかなように、機器が例えば分岐増幅器や分配増幅器の場合には、後段に複数の機器が接続されていることがある。その場合、後段の複数の機器のいずれの機器情報を表示するかを決定するための後段機器選択用表示子、例えばコンボボックス２４が、後段機器表示用ボタン２２の後方に表示されている。操作部８のマウスによってコンボボックス２４のドロップボタン２４ａをクリックすると、接続されている後段機器のアドレスが表示されるので、これらアドレスのうち所望のものをマウスによってクリックし、選択する。この選択が行われた状態で、後段機器表示用ボタン２２をクリックすると、選択された後段の機器の機器情報表示画面１５が表示される。
【００２８】
このように異常が生じている或る機器１１の機器情報が表示されている状態において、前段機器表示用ボタン２０または後段機器表示用ボタン２２を操作することによって、異常が生じている１つの機器１１の１つ前段または後段の機器の機器情報が瞬時に表示される。従って、或る機器１１に異常が生じている原因が、その機器自体にあるのか、前段または後段の機器にあるか否かの解明を容易に行うことができる。例えば下りパイロット信号出力レベルについて考えると、異常があると表示された機器の前段側の下りパイロット信号出力レベルが、この前段側の機器１１用に予め定められた基準値を満たしており、異常があると表示された機器と、後段の機器１１の下りパイロット信号出力レベルとが、これらの機器１１用にそれぞれ設定されている基準値を満たしていないなら、この異常が生じている機器１１自体に原因があると判断することができる。また、前段１１、異常があると表示された機器１１及び後段の機器１１の全てにおいて、下りパイロット信号出力レベルが、これら機器それぞれに設定された基準値を満たしていないと、前段の機器もしくは、これよりも前段にある機器１１に原因があると判断することができる。
【００２９】
このような機器情報表示画面１５を表示するために、ＣＰＵ４は、図２に示すような処理を行う。まず、系統表示画面１３が表示される（ステップＳ１）。この表示画面において、異常があると表示された複数の機器シンボルマーク１４のうちいずれかがダブルクリックされたか判断される（ステップＳ２）。異常があると表示された機器の機器シンボルマーク１４がダブルクリックされると、ＣＰＵ４は、そのダブルクリックされた機器シンボルマークに対応する機器のアドレスを、そのダブルクリックされた位置を元に決定すると同時に、決定されたアドレスを基に、接続情報から決定されたアドレスを持つ機器の１つ前段にある機器のアドレスと、１つ後段にある機器のアドレスとを決定する。そして、そのアドレスに対応する機器の機器情報表示画面１５を作成し、表示部１０に表示する（ステップＳ３）。このとき、コンボボックス２４には、複数の後段機器が存在する場合には、それら複数の機器のアドレスが表示可能とされている。
【００３０】
この状態において、前段機器表示用ボタン２０または後段機器表示用ボタン２２のいずれかがマウスによってクリックされたか判断される（ステップＳ４、６）。
【００３１】
もし、前段機器表示用ボタン２０がクリックされたと判断されると、先に決定された前段の機器のアドレスを基に、１つ前段の機器の機器情報を決定し、ステップＳ３を再び実行し、これら機器情報を表示した機器情報表示画面１５を表示する。
【００３２】
もし、後段機器表示用ボタン２２がクリックされたと判断されると、ＣＰＵ４は、コンボボックス２４に表示されているアドレスを持つ１つ後段の機器の機器情報を決定し、ステップＳ３を実行して、選択された後段の機器の機器情報を表示する。なお、図示していない戻り用のボタンがクリックされる（ステップＳ８の判断がイエス）と、系統表示画面１３が表示される。
【００３３】
本発明の第２の実施の形態のステータスモニタ用プログラムは、図５乃至図９に示すように、第１の実施の形態における機器情報表示画面１５の側方に、接続系列表示画面、例えば拡張モード１乃至５の表示画面２６ａ乃至２６ｅのうち、選択されたものを表示するものである。この場合でも、複数の連続する機器１１において異常が発生していると、系統表示画面において連続する複数の機器シンボル１４が異常表示されており、そのうちの１つの機器シンボル１４をダブルクリックしたときに、機器情報表示画面１５が表示され、その側方に、当初には拡張モード１が表示される。この拡張モード１では、情報表示画面１５の各機器情報のうち下りパイロット信号出力レベルにチェックマークが表示されているので、下りパイロット信号出力レベルについて拡張モードで表示されている。ここでマウス等で機器情報のチェックマークを他の機器情報に表示させると、その機器情報について拡張モードで表示される。
【００３４】
下りパイロット信号出力レベルについての拡張モード１では、図５に示すように、例えば異常があると判定された増幅器の前段及び後段の増幅器の下りパイロット信号出力レベルと、各機器１１にそれぞれ設定された基準値との比較結果がそれぞれ表示されている。例えば、異常があると判定された機器１１及びそれの前後段の機器１１の基準値が同じ値、例えば１００ｄＢμであって、前段の機器１１の最新の下りパイロット信号出力レベルが１００ｄＢμ、ダブルクリックされた機器１１及び後段の機器１１の最新の下りパイロット信号出力レベルが９５ｄＢμであると、比較結果は、前段の機器が０ｄＢ、ダブルクリックされた機器１１及び後段の機器１１が−５ｄＢであるとすると、ダブルクリックされた機器１１自体に異常の原因があることが判る。上記と同じ条件で、比較結果が全て−５ｄＢであると、前段若しくはそれよりも更にヘッドエンド側に近い機器１１に異常の原因があることが判る。この場合には、機器情報表示画面１５の前段機器表示用ボタン２０をクリックして、前段機器１１の更に１つ前段の機器、前段の機器１１及びダブルクリックした機器１１における各基準値との比較結果を拡張モード１の表示画面２６ａに表示させて、判断する。以下、同様に行う。
【００３５】
拡張モード２では、図６に示すように、例えば異常があると判定された機器１１が属する接続系列、例えば異常があると判断された機器１１が図１（ａ）に示すアドレスｄの増幅器であるとすると、アドレスａ、ｂの増幅器が、異常がある増幅器（アドレスｄ）と同じ接続系列に属することになる。この接続系列の初段、この場合、アドレスａの増幅器のパイロット信号出力レベルとの比較結果を表示する。この比較結果が、例えば初期設定時におけるアドレスａの増幅器とアドレスｄの増幅器とのパイロット信号出力レベルの比較結果（これは予めメモリに記憶されている。）よりも予め定めた許容範囲を超えて異なっている場合、この接続系列（アドレスａ、ｂ、ｄの増幅器の系列）のいずれかの増幅器で異常があると判断できる。
【００３６】
拡張モード３では、図７に示すように、異常があると判断された機器１１の過去のパイロット信号出力レベル（これは、予め記憶されており、例えば先週の同じ日付の同じ時刻、或いは先月の同じ日付の同じ時刻あるいは１年前の同じ日付の同じ時刻のもののうち選択されたもの）が表示され、さらに現在のパイロット信号出力レベルと、表示されている過去のパイロット信号出力レベルとの比較結果も表示されている。これによって、いつから異常が生じているのかを判断することができる。
【００３７】
拡張モード４では、図８に示すように、異常があると判断された機器１１が属する接続系列の初段からダブルクリックされた機器１１までの各機器における下りパイロット信号出力レベルと、機器１１ごとに設定された基準値との差をそれぞれ表示する。そして、これら差が機器１１ごとに設定された許容範囲を超えている場合には、通常のものとは異なる色、例えば赤色で表示し、接続系列のいずれにおいて異常が生じているかを表示している。従って、この表示を見ることによって、いずれの増幅器において異常が生じているかを即座に判断することができる。
【００３８】
拡張モード５では、図９に示すようにダブルクリックされた機器１１が属する接続系列の初段から異常があると判断された機器１１までの各機器１１におけるＡＣ電源電圧に対して拡張モード４と同様に、各機器１１におけるＡＣ電源電圧と、機器１１ごとに設定された基準値との差をそれぞれ表示する。そして、これら差が機器ごとに設定された許容範囲を超えている場合には、通常のものとは異なる色、例えば赤色で表示し、接続系列のいずれにおいて異常が生じているかを表示している。従って、この表示を見ることによって、いずれの機器においてＡＣ電源電圧に異常が生じているかを即座に判断することができる。
【００３９】
これらいずれの拡張モードを使用するかは、機器情報表示画面１５に表示した拡張モード選択用アイコン２８ａ、２８ｂをマウス等によってクリックすることによって選択することができる。また、各拡張モード１乃至５の表示画面２６ａ乃至２６ｅには、その拡張モードがいずれの拡張モードであるかを表示するための拡張モード表示窓３０が表示されている。
【００４０】
上記の第１の実施の形態では、系統表示画面１３の表示状態から、機器情報表示画面１５に、表示が切り替えられるように説明したが、表示装置の画面上に両者を併存させて表示するようにすることもできる。また、上記の実施の形態では、センタ装置としてのパーソナルコンピュータの表示装置に系統表示画面１３や機器情報表示画面１５を表示するように構成したが、センタ装置から他の端末機や携帯電話等の表示画面に、系統表示画面１３や機器情報表示画面１５を表示するように構成することもできる。
【００４１】
第２の実施の形態では、拡張モードとして、下りパイロット信号出力レベルと交流電源電圧とについての判定及び表示を行ったが、他の機器情報についても同様に判定及び表示を行える。各拡張モードでは、異常があると判断された増幅器の下りパイロット信号出力レベルと同じ接続系列に属する増幅器の下りパイロット信号出力レベルとの比較結果を表示するようにしたが、このような比較を行わずに、同じ接続系列に属する増幅器の下りパイロット信号出力レベルをそのまま表示することもできる。第２の実施の形態では、機器情報表示画面１５の側方に拡張モード表示画面を表示したが、例えば異常があると判断された増幅器のシンボルをダブルクリックすると、直ちに拡張モード表示画面を表示することもできる。
【００４２】
【発明の効果】
以上のように、本発明によれば、共同受信施設の機器で生じた異常の原因の究明を速やかに行うことが可能となる。
【図面の簡単な説明】
【図１】本発明の第１の実施形態のステータスモニタ用プログラムを実行しているパーソナルコンピュータの表示画面を示す図である。
【図２】図１のステータスモニタ用プログラムのフローチャートである。
【図３】図１のパーソナルコンピュータを含むステータスモニタシステムのブロック図である。
【図４】図１のパーソナルコンピュータのメモリに記憶されている接続情報を示す図である。
【図５】本発明の第２の実施の形態のステータスモニタ用プログラムを実行しているパーソナルコンピュータにおける拡張モード１の表示画面を示す図である。
【図６】本発明の第２の実施の形態のステータスモニタ用プログラムを実行しているパーソナルコンピュータにおける拡張モード２の表示画面を示す図である。
【図７】本発明の第２の実施の形態のステータスモニタ用プログラムを実行しているパーソナルコンピュータにおける拡張モード３の表示画面を示す図である。
【図８】本発明の第２の実施の形態のステータスモニタ用プログラムを実行しているパーソナルコンピュータにおける拡張モード４の表示画面を示す図である。
【図９】本発明の第２の実施の形態のステータスモニタ用プログラムを実行しているパーソナルコンピュータにおける拡張モード５の表示画面を示す図である。
【符号の説明】
２  パーソナルコンピュータ（コンピュータ）
６  メモリ（記憶手段）
８  操作部（指定手段）
１０  表示部（表示手段）
１１  機器
１４  機器シンボルマーク
１６  線路シンボルマーク
２０  前段機器表示用ボタン（前段機器指定用表示子）
２２  後段機器表示用ボタン（後段機器指定用表示子）
２４  コンボボックス（後段機器選択用表示子）
【図１】
2004312113.tif 000003
【図２】
2004312113.tif 000004
【図３】
2004312113.tif 000005
【図４】
2004312113.tif 000006
【図５】
2004312113.tif 000007
【図６】
2004312113.tif 000008
【図７】
2004312113.tif 000009
【図８】
2004312113.tif 000010
【図９】
2004312113.tif 000011